(57)【要約】【課題】太陽電池を活用した、携帯にも適し、より簡易で用途の自由度が大きい携帯型日除けシート１０及び携帯型日除けシートシステムを提供する。【解決手段】日除けシート本体１の片面にフィルム型太陽電池２を貼着し、太陽電池の出力コネクタ３ａを備えた携帯型日除けシート１０、また、太陽電池の出力を受けるＤＣ／ＡＣ変換器４とＤＣ／ＡＣ変換器４の出力コネクタ４ｂとを備えた携帯型日除けシートシステム２０とする。さらに、太陽電池の出力コネクタ３ａに接続される蓄電池を含む携帯型日除けシートシステムとする。【選択図】図１
2007126128.tif 000002
【特許請求の範囲】
【請求項１】
日除けシート本体の片面にフィルム型太陽電池を貼着し、前記太陽電池の出力端子を備えたことを特徴とする携帯型日除けシート。
【請求項２】
前記日除けシート本体の片面に前記フィルム型太陽電池を面ファスナーで貼着したことを特徴とする請求項１に記載の携帯型日除けシート。
【請求項３】
前記日除けシート本体の片面に前記フィルム型太陽電池をマグネットシートで貼着したことを特徴とする請求項１に記載の携帯型日除けシート。
【請求項４】
前記日除けシート本体が、折りたたみ可能であることを特徴とする請求項１乃至３のいずれか１項に記載の携帯型日除けシート。
【請求項５】
前記日除けシート本体が、筒状に丸め可能であることを特徴とする請求項１乃至３のいずれか１項に記載の携帯型日除けシート。
【請求項６】
前記日除けシート本体が、屏風状の折り目を持って折りたたみ可能であることを特徴とする請求項４に記載の携帯型日除けシート。
【請求項７】
前記日除けシート本体の、複数箇所に吸着盤あるいは紐もしくは面ファスナーからなる取付具を備えたことを特徴とする請求項１乃至６のいずれか１項に記載の携帯型日除けシート。
【請求項８】
前記日除けシート本体に、前記日除けシート本体の変形を伸ばすための形状記憶合金からなるリボンを配設したことを特徴とする請求項１乃至７のいずれか１項に記載の携帯型日除けシート。
【請求項９】
前記請求項１乃至８のいずれか１項に記載の携帯型日除けシートと、その前記太陽電池の出力端子に接続されるＤＣ／ＡＣ変換器を含むことを特徴とする携帯型日除けシートシステム。
【請求項１０】
前記請求項１乃至８のいずれか１項に記載の携帯型日除けシートと、その前記太陽電池の出力端子に接続されるＤＣ／ＤＣ変換器を含むことを特徴とする携帯型日除けシートシステム。
【請求項１１】
前記請求項１乃至８のいずれか１項に記載の携帯型日除けシートと、その前記太陽電池の出力端子に接続される蓄電池とを含むことを特徴とする携帯型日除けシートシステム。
【請求項１２】
前記請求項１乃至８のいずれか１項に記載の携帯型日除けシートと、その前記太陽電池の出力端子に接続される複数の入力端子と、複数の出力端子を備え、蓄電池に接続される充放電用のコントローラと、を含むことを特徴とする携帯型日除けシートシステム。
【請求項１３】
前記携帯型日除けシートが、車用の携帯型日除けシートとして、形状・寸法が構成されたことを特徴とする請求項１乃至８のいずれか１項に記載の携帯型日除けシート。
【請求項１４】
前記携帯型日除けシートが、車用の携帯型日除けシートとして、形状・寸法が構成されたことを特徴とする請求項９乃至１２のいずれか１項に記載の携帯型日除けシートシステム。
【発明の詳細な説明】
【技術分野】
【０００１】
この発明は、太陽電池を用いた携帯型の日除けシート及びそのシステムに関する。
【背景技術】
【０００２】
窓際用日除けシート、また、車窓用の車用の日除けシートは、日照を遮ることにその機能が尽きていた。駐車中の車内は極めて高温となるため、車載冷蔵庫やテレビの利用は、エンジンを動かして利用しているのが通常である。昨今、停車時に車のエンジンを停止するアイドリングストップなどの大気汚染、地球温暖化の防止運動が活発化しており、このような環境への配慮も重要となってきている。
【０００３】
この状況下において、太陽電池を活用して、車室内の熱気を確実にかつ効率よく車外に排出できる太陽電池駆動型の自動車室内換気装置であって、さらに、太陽電池パネル本体とともに窓ガラスを車室内側から被覆可能な日除けを備えることを開示しているものがある（特許文献１参照）。
【０００４】
また、移動式クレーン等の建設機械の運転室のガラス窓内側に配設された日除けの外面に太陽電池を添付し、その太陽電池からの発電電力により駆動されて運転室内の空気を換気する換気扇から構成した換気装置を開示したものがある（特許文献２参照）。
【特許文献１】特開２０００−３４３９３０号公報
【特許文献２】特開平８−１０４１２８号公報
【発明の開示】
【発明が解決しようとする課題】
【０００５】
しかしながら、上記の特許文献１の例では、太陽電池と日除けは、別途設けられており、また、これらは、車内に固定されて使用されるものとされている。このため、太陽電池と日除けを別途設置する手間と、両者の車内への複雑な取り付け構造が必要となる。また、上記の特許文献２の例では、ガラス窓の内側の車内に設置されたよろい戸状の日除けの外面に太陽電池が添付されており、太陽電池は断片的なものとなるとともに特別な設置構造が必要となる。
【０００６】
そこで、本発明の課題は、太陽電池を活用し、携帯にも適した、より簡易で用途の自由度が大きい携帯型日除けシート及び携帯型日除けシートシステムを提供することにある。
【課題を解決するための手段】
【０００７】
上記課題を解決するため、本発明では、日除けシート本体の片面にフィルム型太陽電池を貼着し、前記太陽電池の出力端子を備えた携帯型日除けシートとする。これによって、日除けシート本体にフィルム型太陽電池を貼着することで、軽量で必要スペースの少ない太陽電池付き日除けシートが達成でき、窓際用の機器への給電、車用のバッテリー等への給電、駐車中に稼動の必要な車載機器等への給電に活用できる。さらに、車内外での非常用電源としての活用も可能である。
【０００８】
また、前記日除けシート本体の片面に前記フィルム型太陽電池を面ファスナーで貼着した携帯型日除けシートとすれば、フィルム型太陽電池の脱着（取り外し貼着）が簡易にでき、貼着されているフィルム型太陽電池の活用の範囲を広げることができる。
【０００９】
また、前記日除けシート本体の片面に前記フィルム型太陽電池をマグネットシートで貼着した携帯型日除けシートとすれば、フィルム型太陽電池の脱着（取り外し貼着）が簡易にでき、貼着されているフィルム型太陽電池の活用の範囲を広げることができる。
【００１０】
また、前記日除けシート本体が、折りたたみ可能である携帯型日除けシートとすれば、使用時の展開、携帯時の折りたたみが軽便にできる。
【００１１】
また、前記日除けシート本体が、筒状に丸め可能である携帯型日除けシートとすれば、使用時の展開、携帯時の丸めが軽便にできる。
【００１２】
また、前記日除けシート本体が、屏風状の折り目を持って折りたたみ可能である携帯型日除けシートとすれば、さらに使用時の展開、携帯時の折りたたみが軽便にできる。
【００１３】
また、前記日除けシート本体の、複数箇所に吸着盤を備えた携帯型日除けシートとすれば、吸着盤により、住宅の窓ガラス、住宅のサンルーフガラス、車用のフロントガラス、リアガラス、サンルーフガラス等への日除けシートの取り付け、取り外しが容易である。      
【００１４】
また、前記日除けシート本体に、前記日除けシート本体の変形を伸ばすための形状記憶合金からなるリボンを配設した携帯型日除けシートとすれば、使用時の太陽光を受けて、日除けシート表面温度が上昇し、形状記憶合金からなるリボンが屏風状の折り目を伸ばすことによって、太陽電池の発電効率を上昇できる。
【００１５】
また、前記携帯型日除けシートと、その前記太陽電池の出力端子に接続されるＤＣ／ＡＣ変換器を含む携帯型日除けシートシステムとすれば、ＤＣ／ＡＣ変換器を持たない機器に対しても即適用可能とできる。
【００１６】
また、前記携帯型日除けシートと、その前記太陽電池の出力端子に接続されるＤＣ／ＤＣ変換器を含む携帯型日除けシートシステムとすれば、ＤＣ／ＤＣ変換器を持たない機器に対しても即適用可能とできる。
【００１７】
また、前記日除けシートと、その前記太陽電池の出力端子に接続される蓄電池とを含む携帯型日除けシートシステムとすれば、より広い用途のバックアップ電源として対応が可能となり、災害時の非常用電源としても広く活用できる。
【００１８】
また、携帯型日除けシートと、その前記太陽電池の出力端子に接続される複数の入力端子と、複数の出力端子を備え、蓄電池に接続される充放電用のコントローラと、を含む携帯型日除けシートシステムとすれば、複数の太陽電池等の電源ともまた複数の負荷とも接続可能となり、より広い範囲で柔軟に活用が可能となり、省エネルギー、大気汚染防止、地球温暖化対策の面からも貢献できるものである。
【００１９】
また、前記携帯型日除けシートが、車用の携帯型日除けシートとして、形状・寸法が構成された携帯型日除けシートとすれば、さらに車載用の簡便な携帯型日除けシートとしての活用の幅が広がる。
【００２０】
また、前記携帯型日除けシートが、車用の携帯型日除けシートとして、形状・寸法が構成された携帯型日除けシートシステムとすれば、さらに車載用の簡便な携帯型日除けシートとしての活用の幅が広がる。
【発明の効果】
【００２１】
本発明によれば、日除けシート本体にフィルム型太陽電池を貼着することで、軽量で必要スペースの少ない太陽電池付き日除けシートが達成でき、窓際用の機器への給電、車用のバッテリー等への給電、駐車中に稼動の必要な車載機器への給電に活用できる。車内外での非常用電源としての活用も可能であり、省エネルギー、大気汚染防止、地球温暖化対策の面からも貢献できるものである。
【発明を実施するための最良の形態】
【００２２】
以下本発明の実施の形態を図示例を伴い説明する。
【００２３】
図１は、本発明による一実施の形態としての特に車用の携帯型日除けシート１０の構成外観図である。車用の場合、日除けシート１０は、その形状、寸法などが車用として適するよう選定される。
【００２４】
携帯型日除けシート１０は、断熱材質の不織布からなる折りたたみ可能な日除けシート本体１の片面にフィルム型太陽電池２を貼着している。この太陽電池２の出力端子として、出力コネクタ３ａを備える。ここでは電線を引き出しその先に出力コネクタ３ａを設けているが、出力コネクタ３ａは、日除けシート本体１の面内に設けて、携帯をより軽快とすることも可能である。
【００２５】
折りたたみ可能な日除けシート本体１は、ここでは図１に示すように屏風状の折り目１ａを持って折りたたみ可能である。折りたたみ可能な日除けシート本体１の面内には、太陽電池２が貼着される片面側の複数箇所に吸着盤（取付具）１Ａを備える。
【００２６】
吸着盤１Ａは、車用のフロントガラス、リアガラス、サンルーフガラスへの日除けシート本体１の取り付けのためのものである。吸着盤１Ａは、各屏風板１ｂごとに設けることが望ましいが、一つ置きであるなど取り付けの必要に応じて設けることができる。これらの吸着盤１Ａは、図１の例では、折りたたみ日除けシート本体１の上側一列に設置されているが、同様に下側一列にも設けることが安定した取り付けのために望ましい。吸着盤１Ａは、ゴム又は合成樹脂材から形成され、根元部を折りたたみ日除けシート本体１の孔に固定して設置される。
【００２７】
なお、この取付具は、例えば、紐や面ファスナーによって、車用のフロントガラス、リアガラス、サンルーフガラスへ取り付けてもよく、また、鉤型の引っかけ具によって車内、あるいは窓等に取り付けるようにしても良い。
【００２８】
両側端の屏風板１ｂには、上方に折りたたみ状態保持用の留め具１Ｃ，１Ｄを設ける。ここでは磁石を用いているが、面ファスナーなどでもよい。
【００２９】
折りたたみ可能な日除けシート本体１には、さらに、屏風状の折り目１ａを使用時に伸ばすための形状記憶合金からなるリボン１Ｂを、ここでは横一列に配設している。この配設は、図１における折りたたみ可能な日除けシート本体１の上下に横一列一列ずつ配設するのがシートの大きさによっては好ましい場合もある。この形状記憶合金からなるリボン１Ｂは、例えば、温度４０℃以下では、屏風状の折り目１ａと同様に曲がっており、温度が４５℃を超えると日除けシート本体１の変形がまっすぐに伸びるよう、形状記憶される。
【００３０】
さらに、この実施の形態では、出力コネクタ３ａと嵌合する入力コネクタ４ａと他方側に出力コネクタ４ｂとを有するＤＣ／ＡＣ変換器４が、出力コネクタ３ａとの取り外しが可能に嵌着されて、携帯型日除けシートシステム２０とされている。ＤＣ／ＡＣ変換器４は、出力コネクタ３ａと入力コネクタ４ａを介さず直接に電線にて太陽電池２に接続して、用途に応じた簡素化を図ることもできる。
【００３１】
上記のフィルム形太陽電池２は、図５に外観図を示すように、プラスチックフィルム基板２２上に形成したフレキシブルな太陽電池で剛体の太陽電池より軽量である。
【００３２】
この実施の形態によれば、車用の携帯型の折りたたみ可能な日除けシート本体１にフィルム型太陽電池２を貼着することで、軽量で必要スペースの少ない太陽電池付き携帯型車用日除けシート１０が作成でき、車用のバッテリーへの給電、駐車中に稼動の必要な車載機器への給電に活用できる。さらに、車内外での非常用電源としての活用も可能である。
【００３３】
また、太陽電池２の出力を受けるＤＣ／ＡＣ変換器４と該ＤＣ／ＡＣ変換器４の出力コネクタ４ｂとを備えた車用の携帯型日除けシートシステム２０とすれば、ＤＣ／ＡＣ変換器４を持たない機器に対しても即適用可能とできる。
【００３４】
また、太陽電池２は、ＤＣ８０ＶあるいはＤＣ１６０Ｖや２４０Ｖ等であるため、パソコン、蓄電池充電のためにＤＣ変換器が必要になる。このため、ＤＣ／ＡＣ変換器４に代えて、ＤＣ／ＤＣ変換器を用いた携帯型日除けシートシステムとすることも望ましい他の実施の形態である。
【００３５】
次に、上記の実施の形態のフィルム形太陽電池を用いた車用の携帯型日除けシートの使用方法を図２を用いて説明する。
【００３６】
図２は、車５０のフロントガラス５２の正面図を示し、５１は車のボディ、５４はサイドミラーを模式的に示している。携帯型日除けシート１０が運転席側から押されることにより複数の吸着盤１Ａによって、フロントガラス５２に吸着設置される。携帯型日除けシート１０の下方端は、このときフロントガラス５２の下のダッシュボード５３に載せられる。形状記憶合金からなるリボン１Ｂは、設置当初に温度が低い場合は、屏風状の折り目１ａ部分で曲がっているが、太陽光に照らされて温度が上がると屏風状の折り目１ａを伸ばして平面状となる。
【００３７】
出力コネクタ３ａは、必要に応じ直接またはＤＣ／ＡＣ変換器４を介して、車載用の電子機器につながれて、電力を供給する。
【００３８】
上記の図１、図２に示した実施の形態の携帯型日除けシート１０は、住宅又はオフィスの窓ガラスに取り付けるか、窓際に置くことにより同様に日除け及び太陽電池の電源として利用できる。
【００３９】
次に、本発明による他の実施の形態としてのフィルム形太陽電池を用いた車用の携帯型日除けシートシステムについて説明する。
【００４０】
図３は、本発明による一実施の形態としてのフィルム形太陽電池を用いた車用の携帯型日除けシートシステム３０の構成外観図である。図１に示した携帯型車用日除けシート１０と同じ構成部には、同符号を付して示す。
【００４１】
ここでの車用の携帯型日除けシートシステム３０は、折りたたみ可能な日除けシート本体１の片面にフィルム型太陽電池２を貼着し、太陽電池２の出力コネクタ３ａを備えた車用の携帯型日除けシート１０と、出力コネクタ３ａに接続される蓄電池６とを備える。蓄電池６は、出力コネクタ３ａに接続される入力コネクタ６ａと電力供給先に接続される出力コネクタ６ｂをここでは備える。太陽電池２の出力コネクタ３ａを備えた車用の携帯型日除けシート１０は、図１に示した上記の実施の形態における日除けシート１０を用いることができるのは、言うまでも無い。上記のフィルム型太陽電池２は、図１の実施の形態と同様に、図５に外観図を示す、プラスチックフィルム基板２２上に形成したフレキシブルな太陽電池を用いている。
【００４２】
このシステムにより、蓄電池６を持たない、電力供給先への供給も安定してできるなどより広い用途のバックアップ電源として対応が可能となり、災害時の非常用電源としても広く活用できる。
【００４３】
さらに、本発明による他の実施の形態としてのフィルム形太陽電池を用いた車用の携帯型日除けシートシステムについて説明する。
【００４４】
図４は、本発明による一実施の形態としてのフィルム形太陽電池を用いた車用の携帯型日除けシートシステム４０の構成外観図である。図１に示した車用の携帯型日除けシート１０と同じ構成部には、同符号を付して示す。
【００４５】
ここでの車用の携帯型日除けシートシステム４０は、折りたたみ可能な日除けシート本体１の片面にフィルム型太陽電池２を貼着し、太陽電池２の出力コネクタ３ａを備えた車用の携帯型日除けシート１０と、出力コネクタ３ａに接続されるコントローラ８とこのコントローラ８に接続された蓄電池９とを備える。コントローラ８は、出力コネクタ３ａ等に接続され給電を受けるための複数のコネクタ８ａ，８ａと、電力供給先に接続される複数の出力コネクタ８ｂ，８ｂをここでは備え、コネクタ８ｃにより蓄電池９のコネクタ９ａに繋げられる。コントローラ８は、蓄電池９への充放電制御などを行う。なお、図４では、両端にコネクタ７ａとコネクタ７ｂとを有する接続コード７を用いて、出力コネクタ３ａとコネクタ８ａを接続する例となっている。ここでの太陽電池２の出力コネクタ３ａを備えた車用の携帯型日除けシート１０には、図１に示した上記の実施の形態における日除けシート１０を用いることができるのは、言うまでも無い。上記のフィルム型太陽電池２は、図１の実施の形態と同様に、図５に外観図を示す、プラスチックフィルム基板２２上に形成したフレキシブルな太陽電池を用いている。
【００４６】
このシステムにより、蓄電池６を持たない、電力供給先への供給も安定してでき、コントローラ８が、複数の入力コネクタ、複数の出力コネクタを備えることによって、一層広い用途のバックアップ電源として対応が可能となり、災害時の非常用電源としても広く活用できる。
【００４７】
さらに、本発明による実施の形態におけるフィルム形太陽電池の日除けシート本体の片面への貼着の実施の形態例に付き説明する。
【００４８】
図１に示した実施の形態では、フィルム形太陽電池の日除けシート本体の片面への貼着は、まず接着剤によることが想定できる。その他にも、マジックテープ（登録商標）に代表される着脱可能な面ファスナーによる貼着、また、マグネットシートによる貼着が考えられる。
【００４９】
前者の面ファスナーによる例については、図６にフィルム形太陽電池２側の斜視図を、図７にこれと対向する日除けシート本体１側の斜視図を示す。図１に示す携帯型日除けシートと基本的に同様の形態の携帯型日除けシートである。図６に示すように、フィルム形太陽電池２のプラスチックフィルム基板２２の裏面側に面ファスナー２５，２５を接着する。フィルム形太陽電池２は、前のフィルム形太陽電池からの電力受取側のコネクタ７５ｂを持ち、また、フィルム形太陽電池２からのリード線７０が、コネクタ７５ａを先端に持って伸びている。他方、図７に示すように、日除けシート本体１の屏風板１ｂにも、対向側の面ファスナー２６，２６が接着されている。こうして、面ファスナー２５と２６を合わせて、フィルム形太陽電池２を日除けシート本体１の屏風板１ｂに貼着し（取付け）コネクタ７５ａを次のフィルム形太陽電池２のコネクタ７５ｂに接続される。なお、面ファスナーは、フック状に起毛されたフック面を持つ側と、ループ状に起毛されたループ面を持つ側とに区別されるものもあるが、フック状起毛とループ状起毛が両面に混在して、区別されないものもある。これらの区別されるものも、区別されないものも、上記の実施の形態への使用は可能であり、また、面ファスナー２５と２６とは、図6、図7に示したように、フィルム形太陽電池２裏面の一部に接着したものでも良いし、ほぼ全面に接着したものでも良い。
【００５０】
後者のマグネットシートによる例を図８に示す。図８は、マグネットシートを活用した図６と同様なフィルム形太陽電池２側の斜視図を示す。フィルム形太陽電池２のプラスチックフィルム基板２２の裏面側にマグネットシート２７、ここでは、一枚の全面板状である、を接着する。この接着方法は、接着剤による以外に、磁気はラミネートを通すため、ラミネートによりマグネットシートを貼ることも可能である。さらにフィルム形太陽電池２は、図６と同様に、前のフィルム形太陽電池からの電力受取側のコネクタ７５ｂを持ち、また、フィルム形太陽電池２からのリード線７０が、コネクタ７５ａを先端に持って伸びている。日除けシート本体１側の図は、省略するが、日除けシート本体１側に、マグネットシートを全面的または部分的に対向して貼ってもよいし、もし、日除けシート本体１が、磁石吸引性を有する鋼製のものであれば、対向のマグネットシートは不要とできる可能性がある。
【００５１】
さらに、図９には、マグネットシートにより、フィルム形太陽電池の取付け、取り外しを、可能かつ容易とすることにより、活用展開が広がる例を示している。図８の太陽電池２を工事現場の仮囲いに貼着して活用した例である。支持枠９０に支持設置された仮囲い８０は鋼板製であり、図８の太陽電池２を並べて仮囲いにマグネット力で貼着し、リード線７０を接続することにより、太陽電池２は容易に設置できる。ここでは蓄電池を制御箱内に収納したパッケージ型の蓄電池内臓の制御箱１００としたものを用いた例を示す。この蓄電池は、日除けシートにセットされたものでも、必要に応じ、それ以外の蓄電池であることもできる。
【００５２】
同様に、マグネットシートによる取付け、取り外し容易なフィルム形太陽電池は、住居などの鋼板製外壁に貼り付けて、また、車のボディや屋根に貼り付けるなどして活用できる。
【００５３】
このように、面ファスナーやマグネットシートを貼ることで、フィルム形太陽電池２の取付け、取り外しが、可能かつ容易とできる。対向する面ファスナーやマグネットシートを他のテントなどの日除けシートに貼ることで他の日除けシートでその太陽電池を広く活用ができる。日除けシートには、車用シート等の他に、品物の日除けを行う日除けシートカバー、キャンプ用テント、災害避難用テント、救難用テント、簡易トイレテントなどのテント類が考えられる。マグネットシートの場合は、日除けシート側が、鋼製であれば、対向するマグネットシートを日除けシート側に設ける必要を無くすことができ、簡便に活用できる。また、上記のリード線７０、コネクタ７５ａ、７５ｂを防水性を持つものとすることにより、晴天時のみならず、雨天時においても、短期であればそのまま放置が可能である。また、面ファスナーやマグネットシートによる貼着の例でも、上記では折りたたみ日除けシートの場合を例示したが、一枚型の日除けシート、あるいは、筒状に丸め可能な日除けシートの場合でも同様に貼着形成することができることは明らかである。
【００５４】
このように、フィルム形太陽電池の取付け、取り外しを、可能かつ容易とすることにより、活用展開は、大きく広がる。さらに、蓄電池を制御箱内に収納したパッケージ型の蓄電池としたものを用いれば、セットされた以外の他の日除けシートに簡易に設置することもできる。これらにより災害時の応急用電源としての活用にも一層適するものとなる。また、蓄電池の利用によって、太陽電池から蓄電池に充電し、必要なときに給電する自立型発電システムとすることも、商用電源も取り込み連係した系統連係型の発電システムとしての活用も可能とできる。蓄電池、コントローラへの給電のためのリード線、コネクタに防水性を持たせれば屋外での使用も可能とできる。
【００５５】
上記説明した実施の形態は、いずれも、折りたたみ可能な日除けシート本体の片面にフィルム型太陽電池２を貼着したタイプの車用の携帯型日除けシートについてのものであるが、日除けシート本体は、折りたたみ可能なタイプのものでなく、筒状に丸め可能であるものに代えても、片面にフィルム型太陽電池２を貼着することにより、同様に車用の携帯型日除けシートとして活用できることは明らかである。
【００５６】
この場合、吸着盤、筒状に丸めた状態保持用の留め具、使用時に伸ばすための形状記憶合金からなるリボンも同様に装備し活用できる。また、ＤＣ／ＡＣ変換器、ＤＣ／ＤＣ変換器、蓄電池、充放電用のコントローラなどを上記の実施の形態の場合と同様に備えることにより、車用の携帯型日除けシートシステムとして、同様に活用できるものである。
【００５７】
さらに、上記の実施の形態の車用の携帯型日除けシートまたはシステムにあっても、車用に事実上の用途は限定されるものでなく、車用以外の携帯型日除けシート或はシステムとして、また、車用以外の携帯型電源として限定せずに活用も可能である。
【００５８】
また、上記の実施の形態に限定されず、携帯型日除けシートまたはシステムは、汎用性ある携帯型日除けシートまたはシステムとして、窓際用などの特定用途の携帯型日除けシートまたはシステムとして、形状・寸法を構成できる。
【００５９】
なお、上記におけるコネクタとの用語は、ソケットプラグなどのセットの意味ではなく、それらを区別せずセットの一方の部分を表している。コネクタは、断接容易な接続端子の一例として示したものである。
【産業上の利用可能性】
【００６０】
上記のように、本発明によるフィルム型太陽電池を用いた携帯型日除けシートとシステムとは、軽便な日除けシートであるとともに、窓際用の機器への給電、車用のバッテリーへの給電、駐車中に稼動の必要な車載機器への給電、車内外での非常用電源として広く産業上活用でき、省エネルギー、大気汚染防止、地球温暖化対策の面からも貢献できるものである。
【図面の簡単な説明】
【００６１】
【図１】本発明による一実施の形態としてのフィルム型太陽電池を用いた車用の携帯型日除けシート及びそれを用いたシステムの構成外観図である。
【図２】図１に示した実施の形態としてのフィルム形太陽電池を用いた車用の携帯型日除けシートを車のフロントガラスに使用した状態を示す外観図である。
【図３】本発明による他の一実施の形態としてのフィルム形太陽電池を用いた車用の携帯型日除けシートシステムの構成外観図である。
【図４】本発明によるさらに他の一実施の形態としてのフィルム形太陽電池を用いた車用の携帯型日除けシートシステムの構成外観図である。
【図５】本発明で用いるフィルム型太陽電池のシートの一例の外観図である。
【図６】本発明におけるさらに他の実施の形態のフィルム形太陽電池側の斜視図である。図７にこれと対向する日除けシート本体１側の斜視図を示す。
【図７】本発明における図６の実施の形態のフィルム形太陽電池と対向する日除けシート本体側の斜視図である。
【図８】本発明におけるさらに他の実施の形態のフィルム形太陽電池側の斜視図である。
【図９】本発明における図８における実施の形態のフィルム形太陽電池を、工事用の仮囲いに活用した例を示す仮囲いの正面図である。
【符号の説明】
【００６２】
１  日除けシート本体、１Ａ  吸着盤（取付具）、１Ｂ  形状記憶合金からなるリボン、１Ｃ，１Ｄ  留め具、１ａ  屏風状の折り目、１ｂ  屏風板、２  フィルム型太陽電池、３ａ  出力コネクタ、４  ＤＣ／ＡＣ変換器、４ａ  入力コネクタ、４ｂ  出力コネクタ、６  蓄電池、６ａ  入力コネクタ、６ｂ  出力コネクタ、７  接続コード、７ａ，７ｂ  コネクタ、８  コントローラ、８ａ，８ｃ  コネクタ、８ｂ  出力コネクタ、９  蓄電池、９ａ  コネクタ、１０  携帯型日除けシート、２２  プラスチックフィルム基板、２５，２６  面ファスナー、２７  マグネットシート、２０、３０、４０  携帯型日除けシートシステム、５０  車、５１  車のボディ、５２  フロントガラス、５３  ダッシュボード、５４  サイドミラー、７０  リード線、７５ａ，７５ｂ  コネクタ、８０  仮囲い、９０  支持枠、１００  蓄電池内臓の制御箱。
【図１】
2007126128.tif 000003
【図２】
2007126128.tif 000004
【図３】
2007126128.tif 000005
【図４】
2007126128.tif 000006
【図５】
2007126128.tif 000007
【図６】
2007126128.tif 000008
【図７】
2007126128.tif 000009
【図８】
2007126128.tif 000010
【図９】
2007126128.tif 000011